(57)【要約】      （修正有）【課題】一般的な複合機に搭載されているスキャナを用いて、円筒体や円錐体といった３次元形状の立体物の表面を安価かつ簡単に読み取る。【解決手段】３次元形状の被読取媒体３０（円筒体）の表面に描かれた画像データの読み取りにおいて、所定の間隔で黒点が印刷された透明フィルム２０を被読取媒体３０の円周面に巻き付けて原稿台に載置し、フィルム支持プレート２４とストッパ２３によって、透明フィルム２０と被読取媒体３０とが密着してずれないようにする。次に被読取媒体３０と原稿台の接触位置である読取開始位置にキャリッジ２２を移動させてランプを点灯し、手動で回転する被読取媒体３０に追従しながら光を照射してその反射光を読み取り、読み取り画像中の透明フィルム２０の黒点画像に基づいて、被読取媒体３０の表面の読み取り画像を補正する。【選択図】図８
2017112426.tif 000002
【特許請求の範囲】
【請求項１】
被読取媒体が載置される原稿台を介して前記被読取媒体に光を照射するキャリッジが前記被読取媒体の読取開始位置から読取終了位置にかけて移動することにより画像データを読み取る画像読取装置であって、
３次元形状の被読取媒体に描かれた画像データの読み取りにおいて、
前記３次元形状の被読取媒体の円周面が前記原稿台に載置される所定の位置に前記キャリッジを移動するキャリッジ位置制御手段と、
前記原稿台と前記円周面との間の接触面を支持する支持プレートと、
前記円周面と前記支持プレートとの間の隙間を埋めるストッパと、
を含むことを特徴とする画像読取装置。
【請求項２】
前記３次元形状の被読取媒体は、前記円周面に矩形状の透明フィルムが巻き付けられた状態で前記原稿台に載置され、前記透明フィルムは、前記透明フィルムの前記円周面に沿った一辺と平行に複数の黒点が一定間隔で一直線に予め転写されており、前記一直線の中心に前記被読取媒体の読取開始位置及び読取終了位置が転写されることを特徴とする請求項１に記載の画像読取装置。
【請求項３】
前記透明フィルムが巻き付けられた前記３次元形状の被読取媒体が前記円周面に沿って回転し、前記キャリッジが前記被読取媒体の読取開始位置から読取終了位置にかけて光を照射することにより、前記透明フィルムに前記画像データを転写することを特徴とする請求項２に記載の画像読取装置。
【請求項４】
前記透明フィルムに転写された画像データを補正する画像補正手段をさらに含み、前記画像補正手段は、前記画像データが転写された前記透明フィルムの前記黒点の間隔を前記一定間隔に補正すると共に、前記複数の黒点を前記一直線に補正することを特徴とする請請求項３に記載の画像読取装置。
【請求項５】
被読取媒体が載置される原稿台を介して前記被読取媒体に光を照射するキャリッジが前記被読取媒体の読取開始位置から読取終了位置にかけて移動することにより画像データを読み取り、３次元形状の被読取媒体に描かれた画像データの読み取りにおいて、前記原稿台と前記３次元形状の被読取媒体の円周面との間の接触面を支持する支持プレートと、前記円周面と前記支持プレートとの間の隙間を埋めるストッパと、を含む画像読取装置の制御方法であって、
前記円周面が前記原稿台に載置される所定の位置に前記キャリッジを移動する工程を含むことを特徴とする制御方法。
【請求項６】
被読取媒体が載置される原稿台を介して前記被読取媒体に光を照射するキャリッジが前記被読取媒体の読取開始位置から読取終了位置にかけて移動することにより画像データを読み取り、３次元形状の被読取媒体に描かれた画像データの読み取りにおいて、前記原稿台と前記３次元形状の被読取媒体の円周面との間の接触面を支持する支持プレートと、前記円周面と前記支持プレートとの間の隙間を埋めるストッパと、を含む画像読取装置に実行させるためのプログラムであって、
前記円周面が前記原稿台に載置される所定の位置に前記キャリッジを移動する処理を実行させるためのプログラム。
【発明の詳細な説明】
【技術分野】
【０００１】
本発明は、画像読取装置、画像読取装置の制御方法、及びプログラムに関する。
【背景技術】
【０００２】
画像処理装置の一種である画像読取装置（以下、「スキャナ装置」ともいう。）は、記録媒体の一例である用紙の表面に描かれた２次元形状の文字や図形を読み取り、その読み取った画像データを出力先である記録媒体の一例である用紙に転写するものであり、また、読み取られた画像データを電子記録媒体に保存する技術は一般的に知られている。
【０００３】
特許文献１には、タイヤの円周表面（トレッドパターン）や木材の表面の状態等、径の異なる被写体の円周面を連続した一連の画像データとして安定した状態で精度良く読み取れるようにしたロールスキャナ及び被写体を読み取る技術が開示されている。
【発明の概要】
【発明が解決しようとする課題】
【０００４】
しかしながら、従来、コンビニエンスストアやオフィス等に設けられている複合機を一例とする画像形成装置に搭載されているスキャナ装置は、円筒体や円錐体といった３次元形状の立体物の表面の読み取りには対応しておらず、上述したように用紙の表面の２次元形状に描かれた文字や図形を読み取ることにしか対応していないという問題がある。
【０００５】
また、特許文献１に記載された技術は、円筒体の円周面の読み取りに対してのみ使用されるスキャナ装置であって、用紙の表面に描かれた２次元形状の文字や図形の読み取りには対応していないばかりか、円錐体の表面の読み取りについても対応していないという問題がある。
【０００６】
そこで、本発明は、上記従来技術の問題点に鑑みてなされたものであって、一般的な複合機に搭載されているスキャナ装置を用いて、円筒体や円錐体といった３次元形状の立体物の表面を安価かつ簡単に読み取ることが可能な画像読取装置を提供することを目的とする。
【課題を解決するための手段】
【０００７】
上記課題を解決するため、本発明における画像読取装置は、被読取媒体が載置される原稿台を介して前記被読取媒体に光を照射するキャリッジが前記被読取媒体の読取開始位置から読取終了位置にかけて移動することにより画像データを読み取る画像読取装置であって、３次元形状の被読取媒体に描かれた画像データの読み取りにおいて、前記３次元形状の被読取媒体の円周面が前記原稿台に載置される所定の位置に前記キャリッジを移動するキャリッジ位置制御手段と、前記原稿台と前記円周面との間の接触面を支持する支持プレートと、前記円周面と前記支持プレートとの間の隙間を埋めるストッパと、を含むことを特徴とする。
【発明の効果】
【０００８】
本発明によれば、一般的な複合機に搭載されているスキャナを用いて、円筒体や円錐体といった３次元形状の立体物の表面を安価かつ簡単に読み取ることが可能な画像読取装置を得ることができる。
【図面の簡単な説明】
【０００９】
【図１】本実施形態に係る画像読取装置の動作のうちスキャンを開始する前の状態について説明する概略構成図である。
【図２】本実施形態に係る画像読取装置の動作のうちスキャンを開始した後の状態について説明する概略構成図である。
【図３】本実施形態に係る画像読取装置のハードウェアブロック図の一例である。
【図４】本実施形態に係る画像読取装置の機能ブロック図の一例である。
【図５】本実施形態に係る画像読取装置を用いて画像を読み取るとき被読取媒体に巻き付ける透明フィルムに黒点を転写する状態について説明する図である。
【図６】本実施形態に係る画像読取装置を用いて画像を読み取るとき被読取媒体に透明フィルムを巻き付ける状態について説明する図である。
【図７】本実施形態に係る画像読取装置を用いて立体物の側面の画像を読み取る場合の画像読取装置の上面から見た状態について説明する図である。
【図８】本実施形態に係る画像読取装置を用いて立体物の側面の画像を読み取る場合の画像読取装置の正面から見た状態について説明する図である。
【図９】本実施形態に係る画像読取装置を用いて立体物の側面の画像を読み取る場合のフィルム支持プレートの正面図である。
【図１０】本実施形態に係る画像読取装置を用いて立体物の側面の画像を読み取る場合のフィルム支持プレートの斜視図である。
【図１１】本実施形態に係る画像読取装置を用いて立体物の側面の画像を読み取る場合の（ａ）歪んだ状態の画像、（ｂ）補正した状態の画像について説明する図である。
【図１２】本実施形態に係る画像読取装置の動作のうち、（ａ）黒点転写モード、（ｂ）円筒体・円錐体読み取りモードの動作について説明するフロー図である。
【発明を実施するための形態】
【００１０】
次に、本発明を実施するための形態について図面を参照して詳細に説明する。なお、各図中、同一又は相当する部分には同一の符号を付しており、その重複説明は適宜に簡略化乃至省略する。以下、本発明について説明するが、本発明は、以下に説明する実施形態に限定されるものではない。
【００１１】
本発明は、被読取媒体が載置される原稿台を介して被読取媒体に光を照射するキャリッジが被読取媒体の読取開始位置から読取終了位置にかけて移動することにより画像データを読み取る画像読取装置に関するものである。そして、３次元形状の被読取媒体に描かれた画像データの読み取りにおいて、３次元形状の被読取媒体の円周面が原稿台に載置される所定の位置にキャリッジを移動するキャリッジ位置制御部を有している。また、原稿台と円周面との間の接触面を支持する支持プレートと、円周面と支持プレートとの間の隙間を埋めるストッパと、を有している。
【００１２】
これにより、コンビニエンスストアやオフィス等に設けられている一般的な複合機に搭載されているスキャナを用いて、円筒体や円錐体といった３次元形状の立体物の表面を安価かつ簡単に読み取ることができるのである。この本発明の特徴について、以下図面を用いて詳細に解説する。
【００１３】
まず、本実施形態に係る画像読取装置の動作のうちスキャンを開始する前の状態、及びスキャンを開始した後の状態について説明する。図１は、本実施形態に係る画像読取装置の動作のうちスキャンを開始する前の状態について説明する概略構成図である。また、図２は、本実施形態に係る画像読取装置の動作のうちスキャンを開始した後の状態について説明する概略構成図である。
【００１４】
図１において、本実施形態に係る画像読取装置の一例であるスキャナ装置１００は、原稿台ガラス１３と、ランプ１２と、第１キャリッジ１８と、ミラー１５と、第２キャリッジ１９と、から構成される。また、スキャナ装置１００は、レンズ１６と、ＣＣＤ（電荷結合素子（光電変換素子）：Charge-Coupled Device）１７と、スキャナモータ１１と、から構成される。原稿台ガラス１３には、被読取媒体である原稿１４が載置される。
【００１５】
次に、スキャナ装置１００の動きを簡単に説明する。スキャンを開始すると、スキャナモータ１１が動作し、それによって、ランプ１２が図１の左側から図２の矢印で示す右側に向かって動き出し、原稿台ガラス１３上に載置された原稿１４の長さ分だけ照明する。図１及び図２の点線で示す照明された原稿１４によって反射される反射光は計３個のミラー１５及びレンズ１６を通ってＣＣＤ１７上に縮小された光像が帯状に順次投影される。光信号は、ＣＣＤ１７で電気信号に変換され、画像データとして外部の画像処理装置へ転送される。
【００１６】
次に、本実施形態に係る画像読取装置のハードウェアブロック図の一例について説明する。図３は、本実施形態に係る画像読取装置のハードウェアブロック図の一例である。
【００１７】
図３において、本実施形態に係る画像読取装置の一例であるスキャナ装置１００は、ハードウェア構成として、スキャナ装置１００の装置全体の動作を制御するＣＰＵ（Central Processing Unit）（制御部）１０１を備えている。また、各種データや各種プログラムを記憶するＲＯＭ（Read Only Memory）１０２やＲＡＭ（Random Access Memory）１０３等の主記憶部を備えている。さらに、画像を読み取るスキャン部１０４を備えている。
【００１８】
また、外部の他の装置と接続するための入出力インタフェース１０５を備えている。さらに、ユーザが操作して情報を入力すると共に、スキャナ装置１００の状態及びアプリケーションプログラムを実行した結果等を表示する操作・表示部１０６を備えている。また、スキャン部１０４で読み取られた画像データを記憶する記憶部１０７を備えている。
【００１９】
そして、ＣＰＵ１０１、ＲＯＭ１０２、ＲＡＭ１０３、スキャン部１０４、入出力インタフェース１０５、操作・表示部１０６、及び記憶部１０７は、バス１０９によって接続されている。そして、情報処理装置１における各種処理は、ＣＰＵ１０１が、ＲＯＭ１０２、及びＲＡＭ１０３に記憶されている各種プログラムを実行することにより実現されるものである。
【００２０】
次に、本実施形態に係る画像読取装置の機能ブロック図の一例について説明する。図４は、本実施形態に係る画像読取装置の機能ブロック図の一例である。
【００２１】
図４において、本実施形態に係る画像読取装置の一例であるスキャナ装置１００は、キャリッジ位置制御部２０２と、光源制御部２０３と、から構成される。また、スキャナ装置１００は、スキャン制御部２０４と、画像補正部２０５と、画像転写部２０６と、から構成される。そして、スキャナ装置１００は、これ等の各部を制御する全体制御部２０１から構成される。
【００２２】
キャリッジ位置制御部２０２は、キャリッジ２２の位置を制御するものであり、後述する「円筒体・円錐体読み取りモード」を実行すると、キャリッジ２２の位置を、ホームポジションの位置である左端から図５（ａ）に示す位置まで移動させるものである。光源制御部２０３は、光源の点灯消灯を制御するものである。
【００２３】
スキャン制御部２０４は、図１のスキャン部１０４の動作を制御するものである。画像補正部２０５は、後述するように、透明フィルム２０に転写された歪んだ状態にある画像データを歪のない画像データに補正するものである。画像転写部２０６は、透明フィルムに転写された画像データを、出力先である記録媒体の一例である用紙に転写するものである。
【００２４】
次に、本実施形態に係る画像読取装置を用いて画像を読み取るとき被読取媒体に巻き付ける透明フィルムに黒点を転写する状態について説明する。図５は、本実施形態に係る画像読取装置を用いて画像を読み取るとき被読取媒体に巻き付ける透明フィルムに黒点を転写する状態について説明する図である。
【００２５】
円筒体や円錐体といった３次元形状の立体物の表面をスキャナ装置１００で読み取る場合、ユーザは市販の矩形状の透明フィルム２０を予め用意しておき、それを複合機等の用紙トレイにセットする。そして、複合機の「黒点転写モード」をスタートさせ、透明フィルム２０の一辺と平行に一定間隔の複数の黒点２１を一直線に転写させる。黒点の中心部には、図５の吹き出しに拡大して示すように、１つだけ縦長に転写された点があり、この点が読取開始位置及び読取終了位置となる。
【００２６】
次に、本実施形態に係る画像読取装置を用いて画像を読み取るとき被読取媒体に透明フィルムを巻き付ける状態について説明する。図６は、本実施形態に係る画像読取装置を用いて画像を読み取るとき被読取媒体に透明フィルムを巻き付ける状態について説明する図である。
【００２７】
図５で説明した黒点２１が転写された透明フィルム２０を、図６（ａ）に示すような円筒体３０の側面に巻き付ける。このとき、図６（ｃ）に示すように、透明フィルム２０上に転写された黒点２１が円筒体３０の底面と平行（黒点２１が円筒体３０の側面と同一面）になるよう、円筒体３０に対して透明フィルム２０を巻き付ける。そして、黒点２１の中に１つだけ存在する縦長の点が、読取開始位置に合致するように巻き付ける。
【００２８】
次に、本実施形態に係る画像読取装置を用いて立体物の側面の画像を読み取る場合の画像読取装置の上面から見た状態について説明する。図７は、本実施形態に係る画像読取装置を用いて立体物の側面の画像を読み取る場合の画像読取装置の上面から見た状態について説明する図である。
【００２９】
図７（ａ）は、スキャナ装置１００を真上から見た図で、円筒体３０又は円錐体を取り付けるためのフィルム支持プレート２４が、キャリッジ（光源）２２の中心位置から上下左右に設けられた４箇所においてスキャナ装置１００に設けられている。そして、１つのフィルム支持プレート２４にスライド式のストッパ２３が設置されている。
【００３０】
通常、キャリッジ（光源）２２の位置は、図７（ａ）における左端がホームポジションであり、スキャナ装置１００による読み取り動作を実行すると、キャリッジ（光源）２２は、点灯しながら右方向へ移動する。そしてし、原稿の読み取り終端位置に到達すると、再びホームポジションへ戻るのが「通常モード」の動作である。ここで、本実施形態における「円筒体・円錐体読み取りモード」を実行すると、キャリッジ（光源）２２は、ホームポジションの位置である左端から図５（ａ）に示す位置まで移動し、点灯する。
【００３１】
次に、本実施形態に係る画像読取装置を用いて立体物の側面の画像を読み取る場合の画像読取装置の正面から見た状態について説明する。図８は、本実施形態に係る画像読取装置を用いて立体物の側面の画像を読み取る場合の画像読取装置の正面から見た状態について説明する図である。
【００３２】
図８は、スキャナ装置１００を正面から見た図であり、図８（ａ）の点線矢印で示すように、フィルム支持プレート２４の角度を円筒体３０の外周面の大きさに合わせて変更する。また、円筒体３０の位置が左右にずれることを防ぐため、図８（ｂ）に示すようにストッパ２３を点線矢印で示す方向に移動し、円筒体３０を挟み込むことにより両側から押さえる。すなわち、ストッパ２３は、円筒体３０の外周面とフィルム支持プレート２４との間の隙間を埋める役割を有する。この状態で円筒体３０を矢印方向に回転させることで円筒体３０の側面（表面）を読み取る。
【００３３】
被読取媒体が円錐体の場合も同様に、フィルム支持プレート２４の角度変更と、ストッパ２３の位置変更とによって、円錐体をスキャナ装置１００に取り付ける。
【００３４】
次に、本実施形態に係る画像読取装置を用いて立体物の側面の画像を読み取る場合のフィルム支持プレートの正面図、及び斜視図について説明する。図９は、本実施形態に係る画像読取装置を用いて立体物の側面の画像を読み取る場合のフィルム支持プレートの正面図である。また、図１０は、本実施形態に係る画像読取装置を用いて立体物の側面の画像を読み取る場合のフィルム支持プレートの斜視図である。
【００３５】
フィルム支持プレート２４は、ユーザから見て手前側（ユーザ立ち位置側）は、スキャナ装置１００の側面に設置される。また、ユーザから見て奥側は、圧板、ＡＤＦ（Auto Document Feeder）等の原稿カバーの開閉の妨げになるのを考慮して、図１０の吹き出しに示すようにＬ字型のスケール部２５に埋め込む形で設置される。ストッパ２３の上部は、角が扇型になっており、被読取媒体である円筒体３０（円錐体）をスムーズに回転させる役割を持つ。
【００３６】
図９に示すように、左右のフィルム支持プレート２４の支点には歯車２６を噛み合わせ、一方のフィルム支持プレート２４を持ち上げると連動して他方のプレートも同じ角度で持ち上がる仕組みとなっている。これは、被読取媒体である円筒体３０（円錐体）の側面が原稿台ガラス１３に隙間なく当接しないことにより、円筒体３０（円錐体）の側面の読取面の画像を正常に読み取れなくなることを防止するためである。
【００３７】
次に、本実施形態に係る画像読取装置を用いて立体物の側面の画像を読み取る場合の歪んだ状態の画像、及び補正した状態の画像について説明する。図１１は、本実施形態に係る画像読取装置を用いて立体物の側面の画像を読み取る場合の（ａ）歪んだ状態の画像、（ｂ）補正した状態の画像について説明する図である。
【００３８】
ユーザが円筒体３０（円錐体）を手動で回転させるため、透明フィルム２０に転写された縦長の点に対応する読取開始位置から読み取られた円筒体３０（円錐体）の側面の画像データは、回転速度が一定とならず、円筒体３０（円錐体）の高さ方向にもずれが発生する。図１１（ａ）に示す画像データは、この回転速度の揺れや高さ方向のずれにより、読み取られた画像データが歪んだ状態になっている。
【００３９】
この歪んだ画像データを補正するため、図５（ｂ）で説明した透明フィルム２０に転写した黒点２１を黒点２１の転写方向と直交する方向に伸縮することで均一状態にし、黒点２１の間隔を元通りの長さに補正する。これにより、図１１（ｂ）に示すようなユーザが望む歪のない画像データへと変換することができる。
【００４０】
次に、本実施形態に係る画像読取装置の動作のうち、黒点転写モード、及び円筒体・円錐体読取モードの動作について説明する。図１２は、本実施形態に係る画像読取装置の動作のうち、（ａ）黒点転写モード、（ｂ）円筒体・円錐体読取モードの動作について説明するフロー図である。
【００４１】
まず図１２（ａ）の黒点転写モードについて説明する。黒点転写モードが開始されると、ステップＳ１０１の処理において、複合機等の給紙トレイに透明フィルム２０を給紙する。ステップＳ１０２の処理において、複合機等の転写部により、透明フィルム２０の給紙方向に対して垂直方向に黒点を転写し、ステップＳ１０３の処理において、転写された透明フィルム２０を排紙する。
【００４２】
次に図１２（ｂ）の円筒・円錐読取モードについて説明する。円筒・円錐モードが開始されると、ステップＳ１０４の処理において、キャリッジ２２を中央固定位置（円筒体３０（円錐体）取り付け位置）（図５（ａ））へ移動する。
【００４３】
ステップＳ１０５の処理において、キャリッジ２２を移動した後、ランプ１２を点灯する。そして、ステップＳ１０６の処理において、読取開始位置（縦長黒点）のスキャンを開始する。ステップＳ１０７の処理において、読取開始位置（縦長黒点）を認識したか否かが判断される。
【００４４】
読取開始位置（縦長黒点）を認識しない（ステップＳ１０７：Ｎｏ）と判断すると、読取開始位置（縦長黒点）を認識するまで待機する。読取開始位置を認識した（ステップＳ１０７：Ｙｅｓ）と判断すると、ステップＳ１０８の処理へ移行する。ステップＳ１０８７の処理において、回転される円筒体３０（円錐体）外周面のスキャンを開始する。
【００４５】
円筒体３０（円錐体）を１回転した時点で、ステップＳ１０９の処理において、再び読取開始位置（縦長黒点）を認識したか否かが判断される。再び読取開始位置を認識しない（ステップＳ１０９：Ｎｏ）と判断すると、認識するまで待機する。再び読取開始位置を認識した（ステップＳ１０９：Ｙｅｓ）と判断すると、ステップＳ１１０の処理へ移行しスキャンを終了する。
【００４６】
ステップＳ１１１の処理において、スキャンした画像データの回転速度及び高さ方向の歪補正を行い、ステップＳ１１２の処理において、読み取られた画像データを用紙へ転写して処理を終了する。
【００４７】
なお、図１２（ａ）、（ｂ）に示した本実施形態に係る画像読取装置の動作フローは、コンピュータ上のプログラムに実行させることもできる。すなわち、スキャナ装置１００において、画像読取を制御するＣＰＵ１０１が、ＲＯＭ１０２等の不揮発性メモリ等に格納されたプログラムをロードする。そして、プログラムの各処理ステップが順次実行されることによって行われる。
【００４８】
このように、本実施形態における画像読取装置は、円筒体又は円錐体を専用の透明フィルムに包み、スキャナ装置１００上の取り付け位置に固定し、専用の画像データ読み取りモードを実行する。そうすると、キャリッジが取り付け位置の真下に移動し、ユーザの手により透明フィルムに包まれた円筒体又は円錐体を回転させることで、円筒体又は円錐体の円周面の画像データを読み取ることとしている。
【００４９】
また、専用の透明フィルムには、回転速度の揺れや高さ方向のずれを補正するための黒点が一定間隔で転写されており、この黒点は、複合機において黒点転写モードを実行することにより、任意に透明フィルムに転写することができる。
【００５０】
本発明によれば、一般的な複合機に搭載されているスキャナを用いて、円筒体や円錐体といった３次元形状の立体物の表面を安価かつ簡単に読み取ることが可能な画像読取装置、画像読取装置の制御方法、及びプログラムが得られる。
【００５１】
以上、これまで本発明の実施形態について説明してきたが、本発明の実施形態は上述した実施形態に限定されるものではない。すなわち、他の実施形態、追加、変更、削除等、当業者が想到することができる範囲内で変更することができ、何れの態様においても本発明の作用効果を奏する限り、本発明の範囲に含まれるものである。
【符号の説明】
【００５２】
１１    スキャナモータ
１２    ランプ
１３    原稿台ガラス
１４    原稿
１５    ミラー
１６    レンズ
１７    ＣＣＤ
１８    第１キャリッジ
１９    第２キャリッジ
２０    透明フィルム
２１    黒点
２２    キャリッジ（光源）
２３    ストッパ
２４    フィルム支持プレート
２５    Ｌ字型のスケール部
２６    歯車
１００    画像読取装置（スキャナ装置）
１０１    ＣＰＵ（制御部）
１０２    ＲＯＭ
１０３    ＲＡＭ
１０４    スキャン部
１０５    入出力インタフェース
１０６    操作・表示部
１０７    記憶部
１０９    バス
２０１    全体制御部
２０２    キャリッジ位置制御部
２０３    光源制御部
２０４    スキャン制御部
２０５    画像補正部
２０６    画像転写部
【先行技術文献】
【特許文献】
【００５３】
【特許文献１】特開２０１０−０７３２１６号公報
【図１】
2017112426.tif 000003
【図２】
2017112426.tif 000004
【図３】
2017112426.tif 000005
【図４】
2017112426.tif 000006
【図５】
2017112426.tif 000007
【図６】
2017112426.tif 000008
【図７】
2017112426.tif 000009
【図８】
2017112426.tif 000010
【図９】
2017112426.tif 000011
【図１０】
2017112426.tif 000012
【図１１】
2017112426.tif 000013
【図１２】
2017112426.tif 000014